(57)【要約】【課題】外部から加えられるレフィルへの衝撃を従来よりも低減することができる筆記具を提供する。【解決手段】一実施形態の筆記具は、軸筒と、該軸筒内に収容可能なレフィルと、該軸筒と該レフィルとの間に組み付けられる支持部材と、該支持部材よりも後方に配置され、該レフィルを後方に向けて付勢するリターンスプリングと、を備える。該支持部材は、該支持部材に片持ち支持された該レフィルの前部が所定の外力により振動した際に、該レフィルが該軸筒の内周面又は先端開口に衝突することがない前後方向の所定の位置に組み付けられる。【選択図】  図１
2020142369.tif 000002
【特許請求の範囲】
【請求項１】
軸筒と、
前記軸筒内に収容可能なレフィルと、
前記軸筒と前記レフィルとの間に組み付けられる支持部材と、
前記支持部材よりも後方に配置され、前記レフィルを後方に向けて付勢するリターンスプリングと、を備え、
前記支持部材は、該支持部材に片持ち支持された前記レフィルの前部が所定の外力により振動した際に、該レフィルの前部が前記軸筒の内周面又は先端開口に衝突することがない前後方向の所定の位置に組み付けられた、
ことを特徴とする筆記具。
【請求項２】
前記支持部材は前記レフィルに側方から組み付けられ、前記軸筒の内周面に近接又は当接する外周面と、該レフィルの外周面に当接する内周面と、を有し、その周方向の一か所に該支持部材の軸線方向に渡る切り欠きが形成され、該切り欠きを周方向に拡大することができる弾性を有する、請求項１に記載の筆記具。
【請求項３】
前記支持部材は前記軸筒に前方又は後方から組み付けられ、該軸筒の内周面に当接する外周面と、前記レフィルの外周面に近接又は当接する内周面と、を有し、その周方向の一か所に該支持部材の軸線方向に渡る切り欠きが形成され、該切り欠きを周方向に縮小することができる弾性を有する、請求項１に記載の筆記具。
【請求項４】
前記レフィルは電子入力体である、電子入力装置としての請求項１乃至請求項３のいずれか一項に記載の筆記具。
【請求項５】
前記支持部材は衝撃吸収材料で形成された、請求項１乃至請求項４のいずれか一項に記載の筆記具。
【発明の詳細な説明】
【技術分野】
【０００１】
本発明は、ノック操作により筆記芯を送り出すことができる筆記具に関する。
【背景技術】
【０００２】
従来、後部周壁に軸方向の長孔を有する軸筒と、前端に筆記部を有して該軸筒に後端から挿入されたレフィールと、該レフィールを後方に付勢する付勢部材と、該軸筒の後部に挿入されて前端が該レフィールの後端に当接し、かつ、後部が該軸筒の後端から突出するノック部材と、該ノック部材の前端に接続されて後方に延び、該軸筒の径方向に弾性変形可能な弾性片と、該弾性片の後端部に形成された係止突起と、該弾性片に接続されて該長孔にスライド可能に嵌め込まれたクリップ脚片を有し、該軸筒の外周に前部を圧接乃至近接させるクリップとを備え、該軸筒の後部周壁における該長孔の後端延長方向には、該長孔の後端に中間スリットを介して接続する係止孔と、該係止孔の後端に接続して該軸筒の後端に至る後部スリットとを連続形成したノック式筆記具において、該クリップ脚片の後端部には、該クリップを該付勢部材の付勢力よりも強い押圧力で軸筒の後端方向に押し出すことで、該中間スリットおよび該後部スリットを幅方向に順次拡開させる後端稜線部を形成したノック式筆記具が知られている（例えば、特許文献１参照）。この筆記具によれば、レフィールの交換を容易に手際良く行うことができる。
【先行技術文献】
【特許文献】
【０００３】
【特許文献１】再公表特許第２０１０−０１０８２５号公報（例えば、段落００１０、００１５参照）
【発明の概要】
【発明が解決しようとする課題】
【０００４】
特許文献１が開示する従来の筆記具では、その不使用時にはレフィルを軸筒内に収容してチップを保護することができる。しかしながら、レフィルが軸筒内に収容されていても、筆記具に対し外部から強い衝撃が加えられた場合、レフィルが軸筒内面と衝突してチップの損傷などの不具合を発生させることが想定される。よって、軸筒内に収容されたレフィルに外部から加えられる衝撃を従来よりも低減することができる筆記具を提供することが求められていた。
【０００５】
本発明は、外部から加えられるレフィルへの衝撃を従来よりも低減することができる筆記具を提供することを目的とする。
【課題を解決するための手段】
【０００６】
本発明に係る筆記具の一態様では、筆記具は、軸筒と、該軸筒内に収容可能なレフィルと、該軸筒と該レフィルとの間に組み付けられる支持部材と、該支持部材よりも後方に配置され、該レフィルを後方に向けて付勢するリターンスプリングと、を備え、該支持部材は、該支持部材に片持ち支持されたレフィルの前部が所定の外力により振動した際に、該レフィルの前部が該軸筒の内周面又は先端開口に衝突することがない前後方向の所定の位置に組み付けられる。
【発明の効果】
【０００７】
本発明の一態様によれば、外部から加えられるレフィルへの衝撃を従来よりも低減することができる筆記具を提供することができる。
【図面の簡単な説明】
【０００８】
【図１】本発明の第１実施形態に係る筆記具の縦断面図である。
【図２】本発明の第１実施形態に係る支持部材の斜視図である。
【図３】本発明の第２実施形態に係る筆記具の縦断面図である。
【発明を実施するための形態】
【０００９】
（第１実施形態）
以下、図１及び図２に基づいて本発明の第１実施形態を説明する。本実施形態の筆記具１は、ノックボタン９へのノック操作により先口部２１の先端開口２１ａから内部に収容されるレフィル３を出没可能なノック型のボールペンである。以下の説明では、筆記具１の先口部２１が配置される側を筆記具１の長手方向（以下、適宜、軸線方向という。）における前方とし、ノックボタン９が配置される側を後方として説明する。
【００１０】
筆記具１は、図１に示すように、全体が略円筒形状の軸筒２を備える。軸筒２の前端には、略円錐形状の先口部２１が形成される。先口部２１は前端に先端開口２１ａを有する。軸筒２の外周面２ｂの後端側には、クリップ２２が取り付けられる。クリップ２２は、軸筒２と尾冠６により、クリップ２２の円環状の固定部２２ａが前後方向に挟持されることにより、軸筒２の後端部に固定される。軸筒２内には、レフィル３、レフィル接続部７及び回転カム８が収容される。また、軸筒２内の後端側には、尾冠６及びノックボタン９の前方の一部が収容される。
【００１１】
尾冠６は、略円筒状に形成される。尾冠６の後方側には、外径が軸筒２の外周面２ｂと略同じ後筒部６１が形成される。尾冠６の前方側には、外径が後筒部６１よりも小さい前筒部６２が形成される。前筒部６２の外周面には、雄ネジが形成される。この雄ネジが軸筒２の後端の内周面に形成された雌ネジと螺合して、尾冠６が軸筒２の後端に固定される。前筒部６２の内周面には、軸線方向に延在する複数のガイド溝６２ｂを有する固定カム部６２ａが形成される。ガイド溝６２ｂは後述する回転カム８のスライド突起８２ａ及びノックボタン９のスライド突起９１ａと係合し、その後端にはノックボタン９のスライド突起９１ａを係止する係止面６２ａ１が形成される。前筒部６２の前部には後述する回転カム８の中径部８２を軸線方向に移動可能及び周方向に回転可能に収容するチャンバが形成される。前筒部６２の前端部には回転カム８の中径部８２を軸線方向において係止する係止突起が径方向内側に突出して形成され、該チャンバの後壁を構成する固定カム部６２ａの前面には後述する回転カム８の回転カム面８４が係合する環状の略鋸刃状の固定カム面６３が形成される。
【００１２】
回転カム８は、略円筒状に形成される。回転カム８は、軸線方向の後方から前方に向かって、小径部８１、中径部８２及び大径部８３を有する。中径部８２は小径部８１より外径及び内径が大きく形成され、大径部８３は中径部８２より内径が大きく形成される。中径部８２の外周面には、固定カム部６２ａのガイド溝６２ｂに係合する複数のスライド突起８２ａが形成される。中径部８２の後端には、前述の固定カム部６２ａの固定カム面６３に係合する環状の略鋸刃状の回転カム面８４が形成される。大径部８３の前端には、径方向外側に向かって環状に突出したフランジ８５が形成される。
【００１３】
ノックボタン９は、前端側が開口し、後端側が有底の略円筒状に形成される。ノックボタン９の内部には、回転カム８の小径部８１が回転及び前後動可能に組み付けられる。ノックボタン９の前部には、外径がその後部よりも小さい前筒９１が形成され、前筒９１の外周面の前端に、固定カム部６２ａのガイド溝６２ｂと前後動可能に係合するスライド突起９１ａが径方向外側に突出して形成される。ノックボタン９のスライド突起９１ａは、ノックボタン９が後退したときに、その後端面が固定カム部６２ａのガイド溝６２ｂの後端の係止面６２ａ１と軸線方向において当接する。この当接により、ノックボタン９の尾冠６に対するさらなる後方への移動が規制される。ノックボタン９の前端面には、ノックボタン９が前進したときに、回転カム８の回転カム面８４と係合する環状の略鋸刃状の移動カム面９２が形成される。
【００１４】
レフィル接続部７は、略円筒状に形成され、回転カム８とレフィル３とを接続する。レフィル接続部７は、後部に後筒７１を有し、前部に後筒７１よりも外径及び内径の大きいレフィル嵌合筒７２を有する。後筒７１の外周面は、回転カム８の大径部８３の内周面に嵌合される。後筒７１とレフィル嵌合筒７２との間には、径方向外側に突出するフランジ７３が形成される。フランジ７３の外径は、レフィル嵌合筒７２の外径よりも大きく形成され、フランジ７３の前面は後述するリターンスプリング５の後端を係止する。また、軸筒２の後部の内周面２ａ２は、前部の内周面２ａ１よりも大きく形成され、その両者の間に形成される段部２ｃが後述するリターンスプリング５の前端を係止する。レフィル接続部７のフランジ７３の外周面は軸筒２の内周面２ａ２と摺動可能に近接する。
【００１５】
軸筒２の前部の内周面２ａ１と後部の内周面２ａ２との間に形成される段部２ｃと、レフィル接続部７のフランジ７３の前面との間には、コイルスプリングであるリターンスプリング５が圧縮されて配置される。レフィル接続部７は、リターンスプリング５により、常時後方に付勢される。
【００１６】
以上説明した、ノックボタン９、回転カム８、尾冠６、リターンスプリング５によりノック機構１０が構成される。ユーザがノックボタン９をノック操作すると、ノックボタン９と共に回転カム８のスライド突起８２ａが前進して固定カム部６２ａのガイド溝６２ｂから外れる。このとき、回転カム８の回転カム面８４の係合対象がノックボタン９の移動カム面９２から固定カム部６２ａの固定カム面６３へと移行されるため、レフィル３が所定量だけ回転すると共に軸筒２の先端から突出された状態で、回転カム８の回転カム面８４が固定カム面６３上に係合される。ユーザが再びノック操作をおこなうと、回転カム８の回転カム面８４の係合対象が固定カム部６２ａの固定カム面６３からノックボタン９の移動カム面９２へと再び移行される。この場合には、レフィル３が所定量だけ回転すると共にリターンスプリング５により後方に付勢されて軸筒２内に収容された状態で、回転カム８の回転カム面８４がノックボタン９の移動カム面９２上に再び係合される。このように、ノック操作に伴ってレフィル３が回転するように構成すると、本実施形態においてボールペンのチップとして構成されたレフィル３の筆記チップ３１の一定の筆記箇所だけが筆記によって偏摩耗して短期間のうちに破損してしまうことを防ぐことができる。
【００１７】
本実施形態のボールペンのレフィル３は、外形が略円柱状の容器であり、内部に筆記用のインキが充填される。レフィル３の前端に取り付けられた筆記チップ３１は、図１の筆記状態では軸筒２の先端開口２１ａから前方に突出し、図示しない収容状態では軸筒２の先口部２１内に没入する。収容状態において、レフィル３の筆記チップ３１は、軸筒２内に収容されて外力から保護される。
【００１８】
本実施形態のボールペンのレフィル３の外周面３ｂと、軸筒２の前部の内周面２ａ１との間には、支持部材４が組み付けられる。支持部材４は、図２に示すように、その断面が略Ｃ形で、周方向の一箇所に切欠きを有する環状に形成される。支持部材４はレフィル３に側方（径方向）から取り付けることができると共に、その軸線方向の取り付け位置を調節可能であるように構成される。
【００１９】
図１及び図２に示すように、支持部材４は、軸筒２の内周面２ａ１に近接又は当接する外周面４ｂと、レフィル３の外周面３ｂに当接する内周面４ａとを有する。また、支持部材４の周方向の一か所に支持部材４の軸線方向に亘る切り欠き４１が形成される。この支持部材４は、切り欠き４１を周方向に拡大することができる弾性を有し、レフィル３に側方から組み付けることができる。このように構成すると、支持部材４をレフィル３に容易に組み付けることができ、また、レフィル３を交換する場合にも、支持部材４を容易に組み替えることができる。レフィル３に組み付けられた支持部材４は、所定の弾性力でレフィル３を挟圧するように構成される。このため、支持部材４は、ユーザのノック操作に応じて、レフィル３とともに軸筒２に対して前後に移動することができる。
【００２０】
支持部材４は、軸筒２内でその後端部が支持されて外力により振動するレフィル３の振動を制限するように、レフィル３に取り付けるものとするとよい。このように構成すると、軸筒２内でレフィル３が外力により振動した際に、レフィル３が軸筒２の内周面に衝突して破損してしまうことを防止することができる。特に、取り付けた支持部材４に片持ち支持された支持部材４よりも前方のレフィル３の前端部が所定の外力により振動した際に、レフィル３が軸筒２の内周面２ａ１又は先端開口２１ａに衝突することがないように、支持部材４を軸線方向の所定の位置に組み付けるものとするとよい。例えば、支持部材４は、図１に示すように、レフィル３の全長の半分よりも前（前半部）に配置するとよい。
【００２１】
軸筒２内におけるレフィル３の振動は、レフィル３の剛性、レフィル３の支持方法、レフィル３を支持する位置、レフィル３に加えられる外力によって変化するため、支持部材４の軸線方向における配置位置は、加えられる外力に応じて調整するものとするとよい。本実施形態のレフィル３に組み付けた支持部材４は、その軸線方向における配置位置をユーザが容易に調整することができる。ユーザは、例えば、レフィル３を軸筒２内に収容した筆記具１に所定の外力を加えて振った際に、軸筒２の内周面にレフィル３が衝突しないことを、例えば、その衝突音がないことを確認しながら、支持部材４の配置位置を調整することができる。あるいは、ユーザが使用する前に、同様に、支持部材４の配置位置を調整しておくものとしても良い。なお、所定の外力はユーザが定める任意の外力とすることができ、例えば、ユーザが筆記具１を取り扱う際に負荷される最大の外力とするものとしてもよいし、あるいは、筆記具１を所定の高さから落下させたときに負荷される外力に相当する外力としてもよい。これらの場合には、筆記具１のレフィル３を保護する軸線方向の適切な位置に支持部材４を配置することができる。
【００２２】
なお、他の実施形態では、支持部材４は衝撃吸収材料で形成するものとしてもよい。この場合には、本実施形態と比較して支持部材４が有する弾性は低下するものの、外部からの一定の衝撃を吸収することができるから、軸筒内におけるレフィルの振動をさらに好適に抑制することができる。
【００２３】
本実施形態の筆記具１では、さらに、リターンスプリング５が支持部材４よりも後方に配置される。この場合には、支持部材４によって片持ち支持されるために、外力が加えられた際に軸線方向と直交する方向に振れ易い支持部材４よりも前方に配置されるレフィル３の周辺にリターンスプリングを配置することがない。このため、支持部材４によって片持ち支持された支持部材４よりも前方のレフィル３がリターンスプリングに衝突してしまうことを防止することができる。このため、レフィル３をさらに十分に保護することができる。
【００２４】
本実施形態の筆記具１では、レフィル３をその後端に嵌合されたレフィル接続部７とその前部に組み付けられた支持部材４との２箇所で支持することにより、レフィル３の軸線方向と直交する方向への移動を好適に規制してレフィル３を保護することができる。また、ノック操作によるレフィル３の収納時や筆記具１の落下等により筆記具１及びレフィル３に外部からの衝撃が加えられても、レフィル３の軸筒２内における振動の振幅を所定量以下に抑制することができる。よって、本実施形態の筆記具１は、支持部材４を備えることにより、軸筒２の内周面２ａ１，２ａ２とレフィル３との衝突、特に、筆記チップ３１と軸筒２の内周面２ａ１との衝突を防ぎ、外部から加えられるレフィル３への衝撃を従来よりも低減することができる。さらに、支持部材４は切り欠き４１を有し、レフィル３の前部を片持ち支持するようにレフィル３の側方から組み付けられるため、支持部材４の組み付け及び筆記具１の組み立てを容易に行うことができる。
【００２５】
次に、以上説明した実施形態の支持部材４の構成の変形例について説明する。本変形例に係る筆記具は、支持部材の構成が異なる他は上述した図１及び図２に示す筆記具１の構成と同じである。本変形例の支持部材は、軸筒２の内周面２ａ１に当接する外周面と、レフィル３の外周面３ｂに近接又は当接する内周面とを有する。また、図２に示す支持部材４と同様に、支持部材の周方向の一か所に支持部材の軸線方向に渡る切り欠きが形成される。本変形例の支持部材は、該切り欠きを周方向に縮小することができる弾性を有し、軸筒２に後方から組み付けることができる。従って、支持部材は軸筒２の内周面に組み付けられ、レフィル３は軸筒２と本変形例の支持部材に対して相対的に前後に移動することができる。なお、図１の先口部２１を軸筒２とは別体として形成したさらに他の実施形態では、本変形例に示す支持部材を該軸筒に前方から組み付けることもできる。
【００２６】
本変形例の支持部材を用いた場合にも、前述の実施形態と同様に、本変形例の支持部材を備える筆記具は、該支持部材を備えることにより、軸筒２の内周面２ａ１，２ａ２とレフィル３との衝突を防ぎ、外部から加えられるレフィル３への衝撃を従来よりも低減することができる。
【００２７】
（第２実施形態）
次に、第２実施形態について説明する。図３は、第２実施形態の筆記具１Ａの縦断面図である。本実施形態の筆記具１Ａは、レフィル３として電子入力体３Ａを用いた、電子ペンとしての電子入力装置である。電子入力体３Ａは、タッチパネル等の電子筆記面への入力指示に使用される筆記芯である。なお、以下の説明において、第１実施形態と同様の構成については同一の符号を付し、その説明を省略又は簡略化する。
【００２８】
電子入力体３Ａは、例えば、図示しない電子筆記面側の検出部に、静電容量や電流の変化を与え、電子筆記面上の指示位置や電子筆記面に対する筆記具１Ａの傾き角度を検出させることができる。また、電子入力体３Ａは、例えば、受信部や送信部を備えて、さらに筆記具１Ａで検出した筆圧や筆記具１Ａに対してユーザが入力した筆記又は消去の選択信号を電子筆記面側に伝達することができる。
【００２９】
具体例として、電子筆記面及び電子入力体３Ａは、電磁誘導コイルを電磁波の送受信部として含む。電子入力体３Ａは、電子筆記面の特定の座標位置から出力される電磁波を受信して電磁誘導によって電力を得る。また、電子入力体３Ａは得られた電力を用いて必要な情報処理を行い、ユーザが入力した筆記又は消去の選択や筆圧等の情報を電子筆記面側に返信する。これにより、電子筆記面側は、電子入力体３Ａがいずれの座標を指示しているか、電子入力体３Ａによってどのような筆記入力がなされたかを検出することができる。
【００３０】
本実施形態の筆記具１Ａにおいても、第１実施形態の筆記具１と同様に、電子入力体３Ａの外周面３ｂと、軸筒２の内周面２ａ１との間に支持部材４が組み付けられる。このため、外部から加えられる電子入力体３Ａへの衝撃を従来よりも低減することができる電子入力装置を構成することができ、筆記具１Ａの電子入力体３Ａに含まれる電子部品や精密な機構を振動や衝撃から保護することができる。
【００３１】
本実施形態の支持部材４は電子入力体３Ａに側方から組み付けられるため、物理的な接触に弱い精密電子部品を含む電子入力体３Ａへの物理的な接触を最小限とすることができる。また、電子入力体３Ａに支持部材４を組み付けることにより、軸筒２内での電子入力体３Ａの振動を好適に抑制することができるため、該振動によって電子入力体３Ａが軸筒２に衝突して破損してしまうことを防ぐことができると共に、電子入力体３Ａによる電子入力の精度を向上させることができる。
【００３２】
さらに、本実施形態において、コイルスプリングであるリターンスプリング５は支持部材４の後方に配置されている。このため、電子入力体３Ａの周囲に重ねて金属コイルを配置してしまうことがなく、電子筆記面と電子入力体３Ａとの間の電磁誘導や情報通信を該コイルスプリングが阻害してしまうことがない。
【符号の説明】
【００３３】
１，１Ａ  筆記具                            ２      軸筒
２ａ１  内周面                              ２ａ２  内周面
２ｂ    外周面                              ２ｃ    段部
３      レフィル                            ３Ａ    電子入力体
３ｂ    外周面                              ４      支持部材
４ａ    内周面                              ４ｂ    外周面
５      リターンスプリング                  ６      尾冠
７      レフィル接続部                      ８      回転カム
９      ノックボタン                        １０    ノック機構
２１    先口部                              ２１ａ  先端開口
２２    クリップ                            ２２ａ  固定部
３１    筆記チップ                          ４１    切り欠き
６１    後筒部                              ６２    前筒部
６２ａ  固定カム部                          ６２ａ１  係止面
６２ｂ  ガイド溝                            ６３    固定カム面
７１    後筒                                ７２    レフィル嵌合筒
７３    フランジ                            ８１    小径部
８２    中径部                              ８２ａ  スライド突起
８３    大径部                              ８４    回転カム面
８５    フランジ                            ９１    前筒
９１ａ  スライド突起                        ９２    移動カム面
【図１】
2020142369.tif 000003
【図２】
2020142369.tif 000004
【図３】
2020142369.tif 000005